(57)【要約】【課題】年長者に簡便な方法でハンディキャップを付けて、年少者がゲームに勝つ機会をより多く与えるカード型遊具を提供する。【解決手段】カードの表面上部に年少者が分かる簡易な像を描き、この像を覆うように偏光板を通常使用位置で偏光軸が縦軸となるように取り付けたカードと偏光板を通常使用位置で偏光軸が横軸となるように取り付けたメガネを準備する。このメガネを年長者が掛けて前記カードの偏光板下層の簡易な像を見えなくする。【選択図】図３
2008093376.tif 000002
【特許請求の範囲】
【請求項１】
縦長形状カードの表面上部（乃至は下部）に像を描き（書き）、前記像を覆う表層に偏光板を通常使用位置で偏光軸が縦軸（乃至は横軸）となるように取り付けた前記縦長形状カードと偏光板を通常使用位置で偏光軸が横軸（乃至は縦軸）となるように取り付けたメガネにより構成し、前記メガネを掛けた者に前記カードの偏光板下層の像を見せなくすることを特徴とするカード型遊具とカード型遊具専用メガネ。
【請求項２】
縦長形状カードの表面上部（乃至は下部）に簡易な像を描き（書き）、表面下部（乃至は上部）に前記簡易な像よりも複雑な像を描いて（書いて）成ることを特徴とする請求項１のカード型遊具。
【請求項３】
縦長形状カードの表面上部（乃至は下部）に像を描き（書き）、表面下部（乃至は上部）を手書き用空白として成ることを特徴とする請求項１及び請求項２のカード型遊具。
【請求項４】
縦長形状カードの表面上部（乃至は下部）に描かれた（書かれた）像を覆う表層に偏光板を通常使用位置で偏光軸が縦軸（乃至は横軸）となるように取り付け、カードの表面下部（乃至は上部）に描かれた（書かれた）像を覆う表層に偏光板を通常使用位置で偏光軸が横軸（乃至は縦軸）となるように取り付け、偏光板を通常使用位置で偏光軸が横軸（乃至は縦軸）となるように取り付けたメガネＡと偏光板を通常使用位置で偏光軸が縦軸（乃至は横軸）となるように取り付けたメガネＢとにより構成し、前記メガネＡを掛けた者に前記カードの上部（乃至は下部）の像を見せなくし、前記メガネＢを掛けた者に前記カードの下部（乃至は上部）の像を見せなくすることを特徴とするカード型遊具とカード型遊具専用メガネ。
【請求項５】
無色透明な本体と前記本体に取り付けた偏光板より成るカードホルダーであって、前記カードホルダーの中に縦長形状カード挿入して成ることを特徴とする請求項１及び請求項２及び請求項３及び請求項４のカード型遊具専用カードホルダー。
【発明の詳細な説明】
【技術分野】
【０００１】  本発明は、偏光板を用いたカード型遊具とその専用メガネ、および専用カードホルダーに関するものである。
【背景技術】
【０００２】  従来、カード型遊具を用いて遊ぶゲームとして、カルタ取りやトランプの神経衰弱などがよく知られている。これらのゲームはルールが単純であるなどの理由で、親子などの年長者と年少者が一緒に遊んで楽しむことが可能であると考えられている。しかし、年少者が幼児などである場合、視界の広さの差や認知能力の差が大きく、年長者が特別な配慮をしない限り年少者がゲームに勝つことは難しいのが現状である。
【発明の開示】
【発明が解決しようとする課題】
【０００３】  そのために、次のような課題があった。
（イ）年長者に簡便な方法でハンディキャップを付けて、年少者がゲームに勝つ機会をより多く与えるカード型遊具を提供する。
本発明は以上の課題を解決しようとするものである。
【課題を解決するための手段】
【０００４】  まず、カードの長い方を縦、短い方を横として通常使用する場合の位置を決める、専用のメガネも通常使用するように右目と左目が水平になるような位置で掛けるものとする。これを通常使用位置と以降称する。
カードの表面上部に年少者が分かる簡易な像を描き、この像を覆うように偏光板を通常使用位置で偏光軸が縦軸となるように取り付けたカードと偏光板を通常使用位置で偏光軸が横軸となるように取り付けたメガネを準備する。このメガネを年長者が掛けて前記カードの偏光板下層の簡易な像を見えなくする。カード表面下部には前記簡易な像よりも複雑な像を描いておくが、その像は偏光板では覆わない。このようにカード型遊具とその専用メガネを形成する。
【発明の効果】
【０００５】  図１に示すように人間が肉眼（４）で２枚の偏光板を通して像（３）をみる場合、第１偏光板（１）の偏光軸が縦で第２偏光板（２）の偏光軸が横というように偏光軸同士の角度が９０度ずれていると像（３）を見ることは出来ないが（図２（Ａ））、２つの偏光板の偏光軸が縦と縦（または横と横）で揃っていると像（３）を見ることは出来る（図２（Ｂ））。本発明では、この現象を遊具カードに利用している。
カード（６）の簡易な像（８）の表層に偏光軸が縦軸となるようにカード上側偏光板（７ａ）を取り付けた状態では、年少者も年長者もこの簡易な像（８）を見ることが出来る（図３（Ａ））。次に年長者が偏光軸が横軸となるように取り付けたメガネ（１０ａ）を掛けると、年長者だけカード（６）の簡易な像（８）を認識できなくなる（図３（Ｃ））。しかし、年長者もカード（６）表面の偏光板で覆われていない箇所に書かれている複雑な像（９）だけは認識することはできる（図３（Ｃ））。
このようにメガネを掛けるという簡便な方法で年長者に複雑な像（９）だけしか認識させないというハンディキャップをつけることが可能になり、簡易な像（８）を認識できる年少者がゲームに勝つ機会をより多く与えることが可能になる。
なお、カード側に取り付ける偏光板の偏光軸が縦軸で無い場合でも、メガネに取り付ける偏光板の偏光軸がカード側の偏光軸に対して角度で９０度ずれていれば同様の効果が得られる。また、簡易な像と複雑な像は上側下側の位置が逆であっても、簡易な像の表層に偏光板を取り付けることで同様の効果が得られる。
【発明を実施するための最良の形態】
【０００６】  以下、本発明の実施の形態について説明する。
（イ）カード（６）の簡易な像（８）の表層に偏光軸が縦軸となるようにカード上側偏光板（７ａ）を取り付ける（図３（Ａ）、図３（Ｃ））。年長者のハンディキャップ用に偏光軸が横軸となるように取り付けたメガネ（１０ａ）を渡しておく。このメガネ（１０ａ）を掛けるとカード（６）の簡易な像（８）を認識できなくなるが、複雑な像（９）だけは認識することはできる（図３（Ｃ））。
（ロ）カード（６）の簡易な像（８）の表層に偏光軸が縦軸となるようにカード上側偏光板（７ａ）を取り付ける（図４（Ａ））。カード（６）の下部には、手書き用空白（１２）を設ける。この手書き用空白（１２）に年長者が暗記したいと思う文言などを自由に書き込んでおく。年長者のハンディキャップ用に偏光軸が横軸となるように取り付けたメガネ（１０ａ）を渡しておく。このメガネ（１０ａ）を掛けるとカード（６）の簡易な像（８）を認識できなくなるが、手書き用空白（１２）に書き込んだ暗記用文言（１３）だけは認識することはできる（図４（Ｂ））。
（ハ）カード（６）の表面上部に描かれた上部像（１５）を覆う表層に通常使用位置で偏光軸が縦軸となるようにカード上側偏光板（７ａ）を取り付け、カードの表面下部に描かれた下部像（１６）を覆う表層に通常使用位置で偏光軸が横軸となるようにカード下側偏光板（７ｂ）を取り付ける。通常使用位置で偏光軸が横軸となるように横軸偏光板（１１ａ）を取り付けたメガネ（１０ａ）と偏光板を通常使用位置で偏光軸が縦軸となるように縦軸偏光板（１１ｂ）取り付けたメガネ（１０ｂ）を準備する。横軸偏光板（１１ａ）を備えたメガネ（１０ａ）を掛けた者にカードの上部像（１５）を見せなくし（図６（Ａ））、縦軸偏光板（１１ｂ）を備えたメガネ（１０ｂ）を掛けた者にカードの下部像（１６）を見せなくする（図６（Ｂ））。
（ニ）無色透明な本体と本体のおもてに取り付けたカード上側偏光板（７ａ）でカードホルダー（１７）を構成する。カードホルダー（１７）のなかの隙間に偏光板を備えていないカード（６）挿入してカード型遊具を形成する。
本発明は以上のような構造で、これを使用するときは以下のように実施する。
形態が（イ）の場合の遊び方の一例としてカルタ取りを考える。カードを通常使用位置に配列し、ハンディキャップ用のメガネ（１０ａ）を掛けた年長者は、カードの縦方向の延長上の位置に座る。カルタの読み手が「ね、猫の手も借りたい。」と読むと年少者は「猫の絵」または「ね」の文字（簡易な像（８））が書いてあるカードを探せばよいが（図３（Ａ））、年長者はその意味するところの「非常に忙しい様子」（複雑な像（９））というカードを探さなければならない（図３（Ｃ））。
形態が（ロ）の場合の遊び方の一例として神経衰弱（ゲーム）を考える。対になるように同じカードを２枚づつ用意する。年長者はカードの手書き用空白（１２）に例えば「１１９２年〜鎌倉幕府」というように記憶したい文言を対のカード毎に２回づつ記述する。カードを通常使用位置に配列し、ハンディキャップ用のメガネ（１０ａ）を掛けた年長者は、カードの縦方向の延長上の位置に座る。神経衰弱（ゲーム）を開始して、年少者は「猫の絵」または「ね」の文字（簡易な像（８））が書いてある対のカードを探せばよいが、年長者は自分で記述した「「１１９２年〜鎌倉幕府」（暗記用文言（１３））というカードを探さなければならない。ゲームを進めることで、年長者は暗記用文言（１３）を暗記することが期待できる。
形態が（ハ）の場合の遊び方としては、ディベート（討論）が考えられる。テーマの長所を弁護する役と短所を弁護する役が、カードを出された直後に決まり、しかも相手が何を言い出すのかを確認できないので緊張感が高まる。
形態が（ニ）の場合は、カードホルダー型としているだけなので、形態（イ）や（二）と同様に遊ぶことが出来る。この形態（ニ）の利点は、挿入するカードがすべて手書きでも良いといった自由度を増せることである。
【図面の簡単な説明】
【０００７】
【図１】偏光板と像の配置図。
【図２】偏光板の効果の説明図。（Ａ）は偏光軸がずれているため像が見えない状況の図。（Ｂ）は偏光軸が揃っているため像が見える状況の図。
【図３】本発明の偏光板を備えたカード遊具の説明図。（Ａ）は正面図。（Ｂ）は側面図。（Ｃ）はメガネ（１０ａ）を掛けた状態で見える状況の図。（Ｄ）はメガネ（１０ａ）の構造説明図。
【図４】本発明の手書き用空白を備えたカード遊具の説明図。（Ａ）は正面図。（Ｂ）はメガネ（１０ａ）を掛けた状態で見える状況の図。（Ｃ）はメガネ（１０ａ）の構造説明図。
【図５】本発明の偏光板を２箇所に備えたカード遊具正面図。
【図６】本発明の偏光板を２箇所に備えたカード遊具の説明図。（Ａ）はメガネ（１０ａ）を掛けた状態で見える状況の図。（Ｂ）はメガネ（１０ｂ）を掛けた状態で見える状況の図。
【図７】本発明のカードホルダーの説明図。（Ａ）は正面図。（Ｂ）は側面図。（Ｃ）は背面図。
【符号の説明】
【０００８】１  第１偏光板
２  第２偏光板
３  像
４  肉眼
５  ２枚の偏光板を通して肉眼で見える映像
６  カード
７ａ  カード上側偏光板
７ｂ  カード下側偏光板
８  簡易な像
９  複雑な像
１０ａ  メガネ（横軸偏光板付き）
１０ａ  メガネ（縦軸偏光板付き）
１１ａ  横軸偏光板
１１ｂ  縦軸偏光板
１２  手書き用空欄
１３  暗記用文言
１４  テーマ文言
１５  上部像（短所文言）
１６  下部像（長所文言）
１７  カードホルダー
１８  スライド孔
【図１】
2008093376.tif 000003
【図２】
2008093376.tif 000004
【図３】
2008093376.tif 000005
【図４】
2008093376.tif 000006
【図５】
2008093376.tif 000007
【図６】
2008093376.tif 000008
【図７】
2008093376.tif 000009
【図８】
2008093376.tif 000010
【手続補正書】
【提出日】平成18年12月26日(2006.12.26)
【手続補正１】
【補正対象書類名】明細書
【補正対象項目名】０００７
【補正方法】変更
【補正の内容】
【０００７】
【図１】偏光板と像の配置図。
【図２】偏光板の効果の説明図。（Ａ）は偏光軸がずれているため像が見えない状況の図。（Ｂ）は偏光軸が揃っているため像が見える状況の図。
【図３】本発明の偏光板を備えたカード遊具の説明図。（Ａ）は正面図。（Ｂ）は側面図。（Ｃ）はメガネ（１０ａ）を掛けた状態で見える状況の図。（Ｄ）はメガネ（１０ａ）の構造説明図。
【図４】本発明の手書き用空白を備えたカード遊具の説明図。（Ａ）は正面図。（Ｂ）はメガネ（１０ａ）を掛けた状態で見える状況の図。（Ｃ）はメガネ（１０ａ）の構造説明図。
【図５】本発明の偏光板を２箇所に備えたカード遊具正面図。
【図６】本発明の偏光板を２箇所に備えたカード遊具の説明図。（Ａ）はメガネ（１０ａ）を掛けた状態で見える状況の図。（Ｂ）はメガネ（１０ｂ）を掛けた状態で見える状況の図。
【図７】本発明のカードホルダーの説明図。（Ａ）は正面図。（Ｂ）は側面図。（Ｃ）は背面図。
【図８】本発明の偏光板を２箇所に備えたカードホルダーの説明図。（Ａ）は正面図。（Ｂ）は側面図。（Ｃ）は背面図。